(57)【要約】【課題】時刻の初期設定や、電源が切れた時の再設定の必要がなく、常に精度の良い時刻を保つ空気調和機を提供すること。【解決手段】リモコン１４は、運転条件を設定する基本機能１５と、時計機能１６と、時刻により運転条件を変えるタイマー機能１７を備え、時計機能１６は、時刻情報をのせた標準電波２３を受信し自動的に時刻を修正する電波修整機能２４を備え、電波修整機能２４は、所定時間間隔で標準電波２３を受信するようになっているとともに、継電器１３により電源１２を投入したときには、直後に標準電波２３を受信するようになっている。また、リモコン１４がワイヤレスリモコンであれば、電池を装入してからの通電開始時にも標準電波２３を受信するようになっている。【選択図】図１
2007046885.tif 000002
【特許請求の範囲】
【請求項１】
室内機と、室外機と、前記室内機に送信するリモートコントローラーとを備え、前記リモートコントローラーは、運転条件を設定する基本機能と、時計機能と、時刻により運転条件の設定を変えるタイマー機能とを備え、前記時計機能は、さらに時刻情報をのせた標準電波を受信し自動的に時刻を修正する電波修整機能を備えたことを特徴とする空気調和機。
【請求項２】
室内機と、室外機と、前記室内機と送受信するリモートコントローラーとを備え、前記リモートコントローラーは、運転条件を設定する基本機能と、時計機能と、時刻により運転条件の設定を変えるタイマー機能とを備え、前記室内機は、時刻情報をのせた標準電波を受信し自動的に時刻を修正する電波修整機能を備え、前記リモートコントローラーは、前記室内機からの信号で時刻を修整する時計機能を備えたことを特徴とする空気調和機。
【請求項３】
室内機と、室外機と、前記室内機と送受信するリモートコントローラーとを備え、前記リモートコントローラーは、運転条件を設定する基本機能と、時計機能と、時刻により運転条件の設定を変えるタイマー機能とを備え、前記室外機は、時刻情報をのせた標準電波を受信し自動的に時刻を修正する電波修整機能を備え、前記リモートコントローラーは、前記室外機の時刻情報を前記室内機からの信号で時刻を修整する時計機能を備えたことを特徴とする空気調和機。
【請求項４】
リモートコントローラーは、室内機に信号線で接続されたワイヤードリモコンであることを特徴とする請求項１から３のうちいずれか一項に記載の空気調和機。
【請求項５】
リモートコントローラーは、室内機に無線で送信するワイヤレスリモコンであることを特徴とする請求項１に記載の空気調和機。
【請求項６】
リモートコントローラーは、室内機と無線で相互通信するワイヤレスリモコンであることを特徴とする請求項２又は３に記載の空気調和機。
【請求項７】
電波修正機能は所定の間隔で動作するとともに、少なくとも電源投入時にも動作することを特徴とする請求項１から４及び６のうちいずれか一項に記載の空気調和機。
【請求項８】
電波修正機能は所定の間隔で動作するとともに、少なくともリモートコントローラーへ電池を装入してからの通電開始時にも動作することを特徴とする請求項５又は６に記載の空気調和機。
【発明の詳細な説明】
【技術分野】
【０００１】
本発明は、空気調和機に関し、特に、リモートコントローラー（以降、リモコンと称する）に時計機能と、時刻により運転条件を変えるタイマー機能を備えた空気調和機に関するものである。
【背景技術】
【０００２】
従来、この種の空気調和機は、リモコンとしてワイヤードリモコン又はワイヤレスリモコンを備え、リモコンには時計機能と、時刻を設定する時刻設定手段とを備え、中には時刻により運転条件の設定を変えるタイマー機能を備えているものがあった（例えば、特許文献１又は特許文献２参照）。
【０００３】
図４は、従来の空気調和機のリモコンの模式図である。従来の空気調和機のリモコンの時計機能は、現在時刻設定手段１で現在時刻設定モードに切り替え、時間単位設定手段２と分単位設定手段３の操作により現在の時刻に合わせたり、空気調和機を設定時刻になると切ったり、設定時刻になると入れたりするタイマー機能を使うために、切タイマー設定手段５と入タイマー設定手段６と時間単位設定手段２と分単位設定手段３の操作により、切時刻７あるいは入時刻８を設定したりするものが一般的である。
【０００４】
特に特許文献１においては、入タイマー設定手段６、切タイマー設定手段５および時間単位設定手段２，分単位設定手段３を一直線に並設し、これにより、一本の指を一直線上に移動するだけで時刻設定を行えるというものである。
【０００５】
また、特許文献２においては、ワイヤレスリモコンに表示装置を見やすくするバックライトとマイクロコンピュータとを備え、マイクロコンピュータは日付け設定手段で設定された日付けに基づき昼間と夜間の時間を設定し、操作手段が操作された場合は、時刻設定手段が設定した現在時刻から昼間・夜間を判断し、夜間と判断した場合は、バックライトを一定時間点灯させるもので、余計なバックライトの点灯を防止して電池の寿命を延ばすというものである。
【特許文献１】特開平９−２２９４６０号公報
【特許文献２】特開平９−２６４５９４号公報
【発明の開示】
【発明が解決しようとする課題】
【０００６】
しかしながら、前記従来の構成では、空気調和機の設置後の電源投入時や、ワイヤレスリモコンの場合には電池を装入してからの通電開始時に時刻を初期設定する必要があり、手間が掛かると言う課題や、時刻の精度には限界があり、長時間の使用の間に時刻が少しずつ狂うので時刻を修整する必要があると言う課題や、特に、ワイヤードリモコンの場合は、空気調和機本体の元電源が切れた時に、時刻を再設定する必要があると言った課題を有していた。さらに、ワイヤードリモコンを備えた設備にかかるような空気調和機においては、日々の後始末の中で元電源を切断することが点検項目に入れられている設置場所も多く見受けられ、元電源再投入時の再設定の手間は大きな課題であった。
【０００７】
また、ワイヤレスリモコンの場合は、ワイヤレスリモコンの電池を入れ替えた時に、時刻を再設定する必要があると言った課題を有していた。
【０００８】
本発明は、前記従来の課題を解決するもので、時刻の初期設定や、電源や電池が切れて通電を再開した時の再設定の必要がなく、常に精度の良い時刻を保つ空気調和機を提供す
ることを目的とする。
【課題を解決するための手段】
【０００９】
前記従来の課題を解決するために、本発明の空気調和機は、リモコンに、運転条件を設定する基本機能と、時計制御部と時刻表示部とを備える時計機能と、時刻により運転条件の設定を変えるタイマー機能とを備え、前記時計機能は、さらに時刻情報をのせた標準電波を受信し自動的に時刻を修正する電波修整機能を備えて前記時計機能の現在時刻を適宜修正することを特徴としたものである。
【００１０】
これによって、時刻情報をのせた標準電波を受信し自動的に時刻を修正するので、時刻の初期設定や、電源が切れた時の再設定の必要がなく、常に精度の良い時刻を保つことが可能な空気調和機を提供することができる。
【発明の効果】
【００１１】
本発明の空気調和機は、時計機能に電波修正機能が働いて自動的に時刻を修正するので、時刻の初期設定や、電源や電池が切れた時の再設定の必要がなく、これらの手間が省け、常に精度の良い時刻を保つことができ、タイマー機能においても本来必要とする設定時刻から外れた時刻に空気調和機が運転や停止したりすることがないので、安全で快適である。
【発明を実施するための最良の形態】
【００１２】
第１の発明の空気調和機は、室内機と接続されたリモコンは、運転条件を設定する基本機能と、時計制御部と時刻表示部とを備える時計機能と、時刻により運転条件の設定を変えるタイマー機能とを備え、時計機能は、さらに時刻情報をのせた標準電波を受信し自動的に時刻を修正する電波修整機能を備えたことを特徴としたものである。これにより、リモコンで時刻情報をのせた標準電波を受信し自動的に時刻を修正するので、時刻の初期設定や、電源や電池が切れた時の再設定の必要がなく、常に精度の良い時刻を保つことができる。
【００１３】
第２の発明の空気調和機は、時刻情報をのせた標準電波を受信し自動的に時刻を修正する電波修整機能を室内機が備え、室内機と送受信するリモコンは、室内機からの信号で時刻を修整する時計機能を備えたことを特徴としたものである。これにより、室内機で時刻情報をのせた標準電波を受信して自動的にリモコンの時刻を修正するので、リモコンに電波修整機能のスペースが必要なく、また、時刻の初期設定や、電源や電池が切れた時の再設定の必要がなく、常に精度の良い時刻を保つことができる。
【００１４】
第３の発明の空気調和機は、時刻情報をのせた標準電波を受信し自動的に時刻を修正する電波修整機能を室外機が備え、室外機と室内機が接続され、室内機と送受信するリモコンは、室外機の時刻情報を室内機からの信号で時刻を修整する時計機能を備えたことを特徴としたものである。これにより、屋外にある室外機では時刻情報をのせた標準電波をより受信し易い上にリモコンに電波修整機能のスペースが必要なく、また、時刻の初期設定や、電源や電池が切れた時の再設定の必要がなく、常により精度の良い時刻を保つことができる。
【００１５】
第４の発明の空気調和機は、リモコンが室内機に信号線で接続されたワイヤードリモコンであるもので、室内機との信号が途切れることなく確実に送受信できる。
【００１６】
第５の発明の空気調和機は、リモコンが室内機に無線で送信するワイヤレスリモコンであるもので、通信が届く範囲で移動することができ、設置の自由度が高い。
【００１７】
第６の発明の空気調和機は、リモコンが室内機と無線で相互通信するワイヤレスリモコンであるもので、設置の自由度が高いことに加えて、室内機からの情報も取得することができる。
【００１８】
第７の発明の空気調和機は、第１から４及び第６の発明において、電波修正機能が所定の間隔で動作するとともに、少なくとも電源投入時にも動作することを特徴とするものである。これにより、適宜現在時刻の修正を行い常に精度の良い時刻を保つことができるとともに、電源を投入して間もなく正しい現在時刻を表示できるようになり、その後のタイマー設定なども滞りなく操作が可能となる。
【００１９】
第８の発明の空気調和機は、第５又は６の発明において、電波修正機能は所定の間隔で動作するとともに、少なくともリモコンへ電池を装入してからの通電開始時にも動作するものである。これにより、特にワイヤレスリモコンにおいて適宜現在時刻の修正を行い常に精度の良い時刻を保つことができるとともに、通電を開始して間もなく正しい現在時刻を表示できるようになり、その後のタイマー設定なども滞りなく操作が可能となる。
【００２０】
（実施の形態１）
図１は、本発明の第１の実施の形態における空気調和機の模式図である。図１において、室内機９は、室外機１０と冷媒配管１１ａおよび電源通信線１１ｂで接続されており、室外機１０は元電源となる電源１２から継電器１３を介して電源線１１ｃで電力を供給される。室内機９と通信線１１ｄで接続されたリモコン１４は、冷暖運転切換、風量、設定温度などの運転条件を設定する基本機能１５と、時計機能１６と、時刻により運転条件の設定を変えるタイマー機能１７とを備えている。
【００２１】
なお、リモコン１４については室内機９と通信線１１ｄで接続されたワイヤードリモコンを示しているが、通信線１１ｄを除いて、室内機９に無線の受信機能（図示せず）を有して、対応する送信機能（図示せず）を有するワイヤレスリモコンとしてもよい。ワイヤレスリモコンは通信可能範囲であれば設置の自由度が高く、ワイヤードリモコンは通信障害が少なく確実に送受信できる。
【００２２】
運転条件を設定する基本機能１５は、基本機能制御部１８と基本機能設定部１９と基本機能表示部２０とから構成されており、時計機能１６は、時計制御部２１と現在時刻表示部２２と、日本の時刻情報をのせた標準電波２３を受信機で受信し制御部で解析して自動的に時刻を修正する電波修整機能２４とから構成されている。電波修整機能２４は、所定の時間間隔、例えば１２時間間隔で標準電波２３を受信するようになっているとともに、継電器１３により電源１２を投入したときには、直後に標準電波２３を受信するようになっている。
【００２３】
また、タイマー機能１７は空気調和機を設定時刻になると切ったり、設定時刻になると入れたりするもので、切タイマー設定手段２５と入タイマー設定手段２６と時間単位設定手段２７と分単位設定手段２８、および、切タイマー表示部２９と入タイマー表示部３０とから構成されている。
【００２４】
以上のように構成された空気調和機について、以下その動作、作用を説明する。空気調和機の設置完了後の電源投入時やワイヤレスリモコンに電池を装入してからの通電時、リモコン１４の現在時刻表示部２２は、まず時計制御部２１が初期値を指令するので、現在の時刻とは異った時刻、例えば００時００分と表示される。ここで、電波修整機能２４が、日本国内の各基地局から発信される日本の時刻情報をのせた標準電波２３を受信して時刻の修整機能が働き、時計制御部２１に時刻の修整信号を送り、現在時刻表示部２２は正しい現在の時刻、例えば１０時５９分と表示する。その後、タイマー機能１７が使用でき
るようになり、必要に応じて切タイマー設定手段２５と入タイマー設定手段２６と時間単位設定手段２７と分単位設定手段２８の操作により、切タイマー表示部２９あるいは入タイマー表示部３０を設定する。
【００２５】
上記のように、電波修整機能２４は電源投入時や、ワイヤレスリモコンの電池の入れ替え時にも行われるので、例えば昼間だけ使用する設置場所で、毎夜、空気調和機の電源を継電器１３により切るような場合でも、次の日以降に継電器１３により電源を再投入したときにあらためて時刻を再設定する必要がない。このように、時刻の初期設定の手間が省けるばかりでなく、電波修整機能２４は常に所定の時間間隔で機能しているので、１０万分の１秒とも言われている超高精度の時刻を保つことができ、本来必要とする設定とは外れた時刻に空気調和機が運転や停止したりすることがないので、安全で快適である。
【００２６】
さらに、この電波修整機能２４は、夜間電力への切換えや、無人建物での使用など、設定した時刻から外れた場合の悪影響が大きい状況に対しても有効である。
【００２７】
（実施の形態２）
図２は、本発明の第２の実施の形態における空気調和機の模式図である。図２において、構成は実施の形態１の空気調和機と基本的に同じであるが、本発明の空気調和機は、時刻情報をのせた標準電波２３を受信し自動的に時刻を修正する電波修整機能３１が室内機３２に配設されており、室内機３２と通信線１１ｄで接続されたリモコン３３は、室内機３２からの信号で時刻を修整する時計制御部３４を備えた時計機能３５を有している。
【００２８】
なお、リモコン３３については室内機３２と通信線１１ｄで接続されたワイヤードリモコンを示しているが、通信線１１ｄを除いて、室内機３３に無線の送受信機能（図示せず）を有して、対応する送受信機能（図示せず）を有するワイヤレスリモコンとしてもよい。
【００２９】
以上のように構成された空気調和機について、以下その動作、作用を説明する。時刻の初期設定や、再設定、修整、常に超高精度の時刻を保つ機能は、実施の形態１の空気調和機と基本的に同じである。しかしながら、電波修整機能３１は室内機３２に内蔵されており、電波修整機能３１が通信線１１ｄを通じて、または無線の送受信機能によりリモコン３３の時計制御部３４に信号を出し、時計制御部３４はこの信号を受けて、時刻の初期設定や、再設定、修整などを行い、常に超高精度の時刻を保つ。
【００３０】
従って、リモコン３３に電波修整機能３１のスペースが必要なく、リモコン３３の小型化や、電波修整機能３１と室内機３２の制御機能との一体化などが可能になる。
【００３１】
（実施の形態３）
図３は、本発明の第３の実施の形態における空気調和機の模式図である。図３において、構成は実施の形態２の空気調和機と基本的に同じであるが、本発明の空気調和機は、時刻情報をのせた標準電波２３を受信し自動的に時刻を修正する電波修整機能３６が室外機３７に配設されており、室外機３７は電源通信線１１ｂで室内機３８と接続され、室内機３８と通信線１１ｄで接続されたリモコン３９は、室外機３７からの信号で時刻を修整する時計制御部４０を備えた時計機能４１を有している。
【００３２】
なお、リモコン３９については室内機３８と通信線１１ｄで接続されたワイヤードリモコンを示しているが、通信線１１ｄを除いて、室内機３８に無線の送受信機能（図示せず）を有して、対応する送受信機能（図示せず）を有するワイヤレスリモコンとしてもよい。
【００３３】
以上のように構成された空気調和機について、以下その動作、作用を説明する。時刻の初期設定や、再設定、修整、常に超高精度の時刻を保つ機能は、実施の形態１の空気調和機と基本的に同じである。しかしながら、電波修整機能３６は室外機３７に内蔵されており、電波修整機能３６が、電源通信線１１ｂを通じて室内機３８に信号を出し、これを受けた室内機３８の信号が通信線１１ｄを通じて、または無線の送受信機能によりリモコン３９の時計制御部４０に信号を出し、時計制御部４０は、この信号を受けて時刻の初期設定や、再設定、修整などを行い、常に超高精度の時刻を保つ。
【００３４】
従って、電波修整機能３６は、標準電波２３を受信し易い屋外環境に設置された室外機３７に内蔵されているので、室内機３８が設置された室内が標準電波２３を受信し難い環境であっても、この機能を利用できる。
【産業上の利用可能性】
【００３５】
以上のように、本発明にかかる空気調和機は、運転条件を設定する基本機能と、時計機能と、時刻により運転条件を変えるタイマー機能を備えた空気調和機において、時計機能は、時刻情報をのせた標準電波を受信し自動的に時刻を修正する電波修整機能を備えたこと特徴としているので、集中制御機器や別販機器など、空気調和機に接続可能な他の機器にも適用できる。
【図面の簡単な説明】
【００３６】
【図１】本発明の実施の形態１における空気調和機の模式図
【図２】本発明の実施の形態２における空気調和機の模式図
【図３】本発明の実施の形態３における空気調和機の模式図
【図４】従来の空気調和機のリモコンの模式図
【符号の説明】
【００３７】
９，３２，３８  室内機
１０，３７  室外機
１４，３３，３９  リモコン（リモートコントローラー）
１５  基本機能
１６，３５，４１  時計機能
１７  タイマー機能
２４，３１，３６  電波修整機能
【図１】
2007046885.tif 000003
【図２】
2007046885.tif 000004
【図３】
2007046885.tif 000005
【図４】
2007046885.tif 000006